(57)【要約】      （修正有）【課題】バックアップ電池は小型にでき、商用電源では最良のコントラストにて鮮明な液晶表示を得ることができる。【解決手段】内釜の加熱を設定する液晶表示器１４を設けた操作表示部と、制御手段とを備え、制御手段には、ＤＣ５Ｖ電源３とバックアップ電池４と電源供給を判定する電源電圧判定回路７と、液晶駆動回路９と、液晶表示器１４が明瞭なコントラストの表示となる内部分圧抵抗１１と、液晶表示器１４が最低限のコントラストの表示が得られる分圧抵抗１３と、液晶駆動回路９と内部分圧抵抗１１とをＯＮ／ＯＦＦする内部切替スイッチ１０と、液晶駆動回路９と分圧抵抗１３とをＯＮ／ＯＦＦする外部切替スイッチ１２とを設け、ＤＣ５Ｖ電源３のときは内部切替スイッチ１０をＯＮして外部切替スイッチ１２をＯＦＦし、バックアップ電池４のときは外部切替スイッチ１２をＯＮして内部切替スイッチ１０をＯＦＦするものである。【選択図】図２
2014140506.tif 000002
【特許請求の範囲】
【請求項１】
収容した内釜を加熱する加熱手段と、
該加熱手段の加熱を設定する操作部と、
該操作部で設定された加熱を表示する表示部と、
設定された加熱に応じて前記加熱手段を制御する制御手段と、
商用電源からの電力を供給する主電源と、
電池からの電力を供給するバックアップ電池と、
前記主電源、前記バックアップ電池の何れから電力が供給されているかを判定する電源電圧判定回路と、
前記液晶表示器のコントラストを高くするときに用いる第１の分圧抵抗と、
前記液晶表示器のコントラストを低くするときに用いる第２の分圧抵抗と、
前記主電源から電力が供給されるときには前記第１の分圧抵抗が接続され、前記バックアップ電池から電力が供給されるときには前記第２の分圧抵抗が接続され、前記液晶表示器を駆動する液晶駆動回路と、
を具備することを特徴とする炊飯器。
【請求項２】
請求項１に記載の炊飯器において、さらに、
前記液晶駆動回路と前記第１の分圧抵抗の間に設けられた第１の切替スイッチと、
前記液晶駆動回路と前記第２の分圧抵抗の間に設けられた第２の切替スイッチと、を具備し、
前記主電源から電力を供給しているときには、前記第１の切替スイッチをＯＮするとともに、前記第２の切替スイッチをＯＦＦし、
前記バックアップ電池から電力を供給しているときには、前記第１の切替スイッチをＯＦＦするとともに、前記第２の切替スイッチをＯＮすることを特徴とする炊飯器。
【発明の詳細な説明】
【技術分野】
【０００１】
本発明は、液晶表示器のコントラストを切り替えることができる炊飯器に関する。
【背景技術】
【０００２】
本技術分野の背景技術として、特許文献１は炊飯器の液晶表示装置の駆動電圧を発生する液晶電源手段を構成する分圧抵抗（約２００ｋΩ程度）に、抵抗（約１〜２ｋΩ程度）とフォトカプラの出力端子を接続した回路を並列接続し、商用電源から電力を供給されている間は、分圧抵抗にフォトカプラにより並列接続した抵抗の合成抵抗となり、電池などバックアップ用電源からの電圧は、略並列に接続した抵抗値となる構成で、商用電源から電力を供給が切断されている間は、分圧抵抗にフォトカプラにより抵抗が並列に接続されない状態となって、電池からの電圧は、分圧抵抗の抵抗値することで、電池などバックアップ用電源から電源を供給するときに、消費を抑え電池の寿命を長くし、分圧抵抗の抵抗値を小さくし、表示のムラを抑えるものが記載されている。
【先行技術文献】
【特許文献】
【０００３】
【特許文献１】特開２００６−３２６１４２号広報
【発明の概要】
【発明が解決しようとする課題】
【０００４】
近年、携帯機器など液晶は広く使われ炊飯器においても液晶と電池が使われて表示されている。さらに環境と省エネに対する意識が高くなり、バックアップ電源として搭載する電池を長寿命化すること事が望まれている。
【０００５】
しかし、特許文献１では、分圧抵抗（約２００ｋΩ程度）に、抵抗（約１〜２ｋΩ程度）とフォトカプラの出力端子を接続して並列接続と並列接続なしに切替えるので、圧抵抗に流れる電流が小さく、液晶表示器のコントラストが悪くなるという問題があった。
【課題を解決するための手段】
【０００６】
上記問題を解決するために、収容した内釜を加熱する加熱手段と、該加熱手段の加熱を設定する操作部と、該操作部で設定された加熱を表示する表示部と、設定された加熱に応じて前記加熱手段を制御する制御手段と、商用電源からの電力を供給する主電源と、電池からの電力を供給するバックアップ電池と、前記主電源、前記バックアップ電池の何れから電力が供給されているかを判定する電源電圧判定回路と、前記液晶表示器のコントラストを高くするときに用いる第１の分圧抵抗と、前記液晶表示器のコントラストを低くするときに用いる第２の分圧抵抗と、前記主電源から電力が供給されるときには前記第１の分圧抵抗が接続され、前記バックアップ電池から電力が供給されるときには前記第２の分圧抵抗が接続され、前記液晶表示器を駆動する液晶駆動回路と、を具備するものである。
【発明の効果】
【０００７】
本発明によれば、バックアップ電池を小型にでき、商用電源では最良のコントラストにて鮮明な液晶表示装置を備える炊飯器を得ることができる。
【図面の簡単な説明】
【０００８】
【図１】一実施例の炊飯器の概略断面図。
【図２】一実施例の炊飯器の液晶駆動回路を含むブロック部。
【発明を実施するための形態】
【０００９】
以下、本発明の炊飯器の一実施例について図面を用いて詳細に説明する。
【００１０】
図１は本実施例の炊飯器の概略断面図、図２は同炊飯器の液晶駆動回路を含むブロック部である。
【００１１】
図１に示すように、炊飯器の本体３１には内釜３２が着脱自在に挿入され、本体３１の上部を覆う外蓋３３が開閉自在に取り付けられている。外蓋３３には内釜３２の上部開口を覆う内蓋３４が設けられ、外蓋３３の蒸気排出経路３５には温度検出手段３６が設けられ、沸騰して蒸気が内釜３２から蒸気排出経路３５に至ったことを温度で検出する。本体３１には内釜３２を加熱する加熱手段３７が設けられている。
【００１２】
本体３１には操作表示部３８が設けられ、使用者が複数の炊飯メニューから任意のメニューを選択することが出来る。操作表示部３８には液晶表示器１４を備え、使用者の選択、本体３１の状況を表示する。本体３１には制御手段３９が設けられ、制御手段３９は操作表示部３８で選択した炊飯メニューに応じ、温度検出手段３６の温度情報を元に予め定められた炊飯加熱手順で加熱手段３７の加熱動作を制御する。
【００１３】
図２は、本実施例の液晶表示器を駆動するために必要とされる種々の構成を含めたブロック部である。８はマイコンであり、この内部に液晶表示機１４を駆動する液晶駆動回路９が含まれる。
【００１４】
本体３１のプラグ２は商用電源１に接続と切断するもので、プラグ２が商用電源１に接続されている時には商用電源１がＤＣ５Ｖ電源３（主電源）に供給されて、電力はＤＣ５Ｖ電源３よりダイオード５を介してマイコン８にＶＤＤとして供給される。
【００１５】
また、４はバックアップ電池で、ダイオード６を介してマイコン８のＶＤＤとして接続している。そのため、プラグ２が商用電源１に接続されていない時には、バックアップ電池４からダイオード６を介してマイコン８のＶＤＤとして電力が供給されてマイコン８が駆動される構成となっている。
【００１６】
７は、電源電圧判定回路で、ダイオード５とダイオード６に接続して、ＤＣ５Ｖ電源３からダイオード５を介して電源が供給されたか、バックアップ電池４からダイオード６を介して電源が供給されたかの判定信号をマイコン８に送信する。
【００１７】
マイコン８は、液晶表示器１４を表示させるように駆動する液晶駆動回路９を備えている。そしてマイコン８の内部には、液晶駆動回路９に外部切替スイッチ１２が接続されている。外部切替スイッチ１２は、マイコン８の外部に設けた液晶駆動電圧を作る分圧抵抗１３に接続している。分圧抵抗１３は、最低限のコントラストを確保できるように高抵抗（例えば３００ｋΩ）で設け、抵抗に流れる電流を低くしている。
【００１８】
また、マイコン８の内部には、液晶駆動回路９に内部切替スイッチ１０が接続されている。その内部切替スイッチ１０は、マイコン８の内部に設けた液晶駆動電圧を作る内部分圧抵抗１１に接続している。内分圧抵抗１１は、明瞭コントラストの表示となるように低抵抗（例えば１０ｋΩ）で設け、内分圧抵抗１１に流れる電流は、分圧抵抗１３に流れる電流よりも高いものである。
【００１９】
また、マイコン８には、ＲＡＭ１５、ＲＯＭ１６が接続されている。
【００２０】
マイコン８は、ＲＯＭ１６に書き込まれているプログラムによりＲＡＭ１５と液晶駆動回路９を制御して、液晶表示器１４に表示を行う。
【００２１】
マイコン８は、ＤＣ５Ｖ電源３かバックアップ電池４から電源のどちらかから電源が供給されたかの電源電圧判定回路７からの判定信号によって、
異なる動作を行う。
【００２２】
バックアップ電池４で駆動されていると判断された電池電源動作時には、外部切替スイッチ１２をオンして分圧抵抗１３だけを液晶駆動回路９に接続する。他方の内部切替スイッチ１０はオフして内部分圧抵抗１１は液晶駆動回路９に接続されない。そして分圧抵抗１３に流れる電流を低くしているので、バックアップ電池４の消費電流を低く抑える事ができる。
【００２３】
一方、商用電源１に接続されＤＣ５Ｖ電源３で駆動されていると判断された商用電源動作時には、内部切替スイッチ１０をオンして内部分圧抵抗１１だけを液晶駆動回路９に接続する。他方の外部切替スイッチ１２はオフして分圧抵抗１３は液晶駆動回路９に接続されない。そして内部分圧抵抗１１に流れる電流を高くしているので、液晶表示器（ＬＣＤ）１４に明瞭な表示をさせる事ができる。
【００２４】
以上の構成においてその動作を説明する。使用者が商用電源１にプラグ２を接続して、研いだ白米と水を入れた内釜３２を本体３１に取り付けて、内蓋３４を備える外蓋３３を閉め、操作表示部３８で炊飯を選択して液晶表示器１４の表示を確認して炊飯開始操作をすると、炊飯が開始される。
【００２５】
そして、制御手段３９の電源電圧判定回路７により、商用電源1に接続してＤＣ５Ｖ電源３により駆動されていると判定すると、電源電圧判定回路７は商用電源1に接続されていることがマイコン８０に送信され、液晶駆動回路９に内部分圧抵抗１１が内部切替スイッチ１０によって接続されて、液晶表示器１４は明瞭なコンラストの表示となる。
【００２６】
例えば、炊飯の後、ご飯を別容器にあけるなどして、プラグ２を商用電源１から切断すると、制御手段３９の電源電圧判定回路により、バックアップ電池４により駆動されていると判定してマイコン８０に送信され、液晶駆動回路９に接続されていた内部分圧抵抗１１が内部切替スイッチ１０によって切断され分圧抵抗１３が外部切替スイッチ１２によって接続され、液晶表示器１４は最低限のコントラストが得られた表示となる。同時に消費電流を少なく保つ。
【００２７】
なお、図２では、内部分圧抵抗１１、内部切替スイッチ１０、外部切替スイッチ１２をマイコン８に内蔵した例を示したが、これらをマイコンの外部に設けても良い。
【００２８】
上記した本実施例によれば、制御手段３９に商用電源１に接続するＤＣ５Ｖ電源３と、バックアップ電池４との２種類の電源と、バックアップ電池４とＤＣ５Ｖ電源３のどちらの電源を供給されているか判定する電源電圧判定回路７と、分圧抵抗１３と、制御用のマイコン８とを備え、マイコン８に液晶表示器１４を駆動する液晶駆動回路９と、分圧抵抗１３を液晶駆動回路９に接続する外部切替スイッチ１２と、マイコン８内に設ける内部分圧抵抗１１と、内部分圧抵抗１１を液晶駆動回路９に接続すると内部切替スイッチ１０と、を備え、電源電圧判定回路７でバックアップ電池４から電源の供給を受けていると判定すると、マイコン８は、内部切替スイッチ１０をオフ、外部切替スイッチ１２をオンして分圧抵抗１３を液晶駆動回路９に接続し、電源電圧判定回路７でＤＣ５Ｖ電源３から電源の供給を受けていると判定すると、マイコン８は、外部切替スイッチ１２をオフ、内部切替スイッチ１０をオンして内部分圧抵抗１１を液晶駆動回路９に接続するように切替えるものので、バックアップ電池４で駆動される場合には、液晶表示器１４で最低限のコントラストが得られ且つ消費電流を少なく保つことができる事により、より小型のバックアップ電池４とすることが可能となる。また、商用電源１に接続して駆動し、製品の操作を行う際には、液晶表示器１４で最良のコントラストにて鮮明な表示を得ることができる。
【符号の説明】
【００２９】
１  商用電源
２  プラグ
３  ＤＣ５Ｖ電源
４  バックアップ電池
５  ダイオード
６  ダイオード
７  電源電圧判定回路
８  マイコン
９  液晶駆動回路
１０  内部切替スイッチ
１１  内部分圧抵抗
１２  外部切替スイッチ
１３  分圧抵抗
１４  液晶表示器
１５  ＲＡＭ
１６  ＲＯＭ
３１  本体
３２  内釜
３３  外蓋
３４  内蓋
３７  加熱手段
３８  操作表示部
３９  制御手段
【図１】
2014140506.tif 000003
【図２】
2014140506.tif 000004